(57)【要約】　　　（修正有）【課題】　塗料分配装置を握る使用者の手をクッションで和らげるための握り用の握りカバーを提供する。【解決手段】　握りカバーが、塗料分配用塗料分配装置の握りの上にはめ込まれる。握りカバーはその材料がエラストマーを含む材料、電気的に非絶縁性材料、握りより柔らかい材料でなどあり、塗料分配装置を使用する使用者の手をクッションで和らげる。握りカバーが握りの上に取り外し可能なシェルを含んでおり、握りより柔らかい材料がシェル外面にパッドとして結合する構造でも良い。シェルがビードを含んでいて、握りがビードを受け入れるための溝を含んでいても良い。【選択図】　　　図３
2004090001.tif 000002
【特許請求の範囲】
【請求項１】
　塗料を分配するための塗料分配装置と握りカバーとの結合体において、塗料分配装置が握りを含んでいて、握りカバーが、握りを覆うための握りカバーであって、握りよりも軟らかい材料を含んでいる、結合体。
【請求項２】
　前記材料がエラストマー材料を含んでなるところの、請求項１に記載の結合体。
【請求項３】
　握りカバーが非導電性であるところの、請求項１に記載の結合体。
【請求項４】
　握りカバーが電気的に非絶縁性であるところの、請求項１に記載の結合体。
【請求項５】
　握りカバーが開口を形成していて、塗料分配装置を握る使用者が、前記開口を通して握りとの接触を維持することができるところの、請求項１に記載の結合体。
【請求項６】
　握りカバーが、握りの上に取り外し可能に嵌るためのシェルを含んでいて、握りよりも軟らかい材料が、シェルの外面に結合されたパッドを含んでいるところの、請求項１に記載の結合体。
【請求項７】
　パッドがシェルの上に二重成形されるところの、請求項６に記載の握りカバー。
【請求項８】
　シェルがビードを含んでいて、握りがビードを受け入れるための溝を含んでいるところの、請求項６に記載の結合体。
【請求項９】
　握りカバーが、握りの周囲への配置のためのスリーブを具備するところの、請求項１に記載の結合体。
【請求項１０】
　握りカバーが、ざらつきのある手触りのものであるところの、請求項１に記載の結合体。
【請求項１１】
　塗料分配装置が手動スプレイガンであるところの、請求項１に記載の結合体。
【請求項１２】
　握りカバーが握りの上に二重成形されるところの、請求項１に記載の結合体。
【請求項１３】
　握りを含む塗料分配装置と共に使用するための、握りを少なくとも部分的に覆うための握りカバーであって、握りよりも軟らかい材料を含む握りカバー。
【請求項１４】
　前記材料がエラストマー材料を含んでなるところの、請求項１３に記載の結合体。
【請求項１５】
　握りカバーが非導電性であるところの、請求項１３に記載の結合体。
【請求項１６】
　握りカバーが電気的に非絶縁性であるところの、請求項１３に記載の結合体。
【請求項１７】
　握りを含む塗料分配装置と共に使用するための握りカバーであって、握りカバーが握りの上に嵌るためのシェルと、シェルに結合されたパッドとを含んでいて、パッドが握りよりも軟らかい材料を含んでいる握りカバー。
【請求項１８】
　クッション材料が、エチレンプロピレンジエンターポリマーであるところの、請求項１７に記載の握り。
【請求項１９】
　パッドがシェルの上に二重成形されるところの、請求項１７に記載の握りカバー。
【請求項２０】
　シェルとパッドのそれぞれが、握りの少なくとも一部をＵ字形断面の中に収容するために、Ｕ字形断面を有するところの、請求項１７に記載の握りカバー。
【発明の詳細な説明】
【技術分野】
【０００１】
　本発明は、噴霧分配装置に関するものであり、特に手持ち式の装置に関するものである。本発明は、塗料等の分配用装置との関連で開示されるが、他の用途も同様に有することが確信される。
【背景技術】
【０００２】
　様々なタイプの手持ち式塗料分配装置はよく知られている。例えば、特許文献１、２、及び３で図解されて説明されたガンがある。ランズバーグ（Ransburg）モデルＲＥＡ３、ＲＥＡ４、ＲＥＡ７０、ＲＥＡ９０、ＲＥＭ及びＭ−９０ガンもあり、それらは全て、オハイオ４３６１２−１４９３、トレド、３２０フィリップスアベニューのＩＴＷランズバーグ（ITW Ransburg, 320 Phillips Avenue, Toledo, Ohio, 43612-1493）から市販されている。従来技術の全ての材料の徹底的な調査が実施されたとか、あるいは紹介されたものより良い技術は入手できないというような表明がこの紹介によって意図されている訳ではない。そして又そのような表明が推測されるべきではない。
【０００３】
　表現の“前”、“後”、“上端”、及び“底”等は、単に説明の便宜及び本発明の理解のために用いられており、そしてそれらは、限定する意味で用いられるべきことが意図されたり、限定する意味として見なされるべきではない。
【特許文献１】米国特許第３１６９８８２号明細書
【特許文献２】米国特許第４００２７７７号明細書
【特許文献３】米国特許第４２８５４４６号明細書
【発明の開示】
【課題を解決するための手段】
【０００４】
　本発明の態様によると、結合体が、塗料分配用の塗料分配装置を含んでいる。装置は握りを含んでいる。結合体は、握りを覆うための握りカバーを更に含んでいる。握りカバーは、装置を握る使用者の手をクッションで和らげるために握りよりも軟らかい材料を含んでいる。
【０００５】
　実例的に本発明の態様によると、握りカバーが、開口を形成しており、装置を握っている使用者が前記開口を通して握りとの接触を維持することができる。
【０００６】
　実例的に本発明のこの態様によると、握りカバーが、握りの上に取り外し可能にはまるためにシェルを含んでいる。握りよりも軟らかい材料が、シェルの外面に結合されたパッドを含んでいる。
【０００７】
　実例的に本発明のこの態様によると、パッドはシェルの上に二重成形される。
【０００８】
　実例的に本発明のこの態様によると、シェルはビードを含んでいて、握りはビードを受け入れるための溝を含んでいる。
【０００９】
　実例的に本発明のこの態様によると、握りカバーは、握りの周囲に配置するためのスリーブを具備している。
【００１０】
　実例的に本発明のこの態様によると、握りカバーは、ざらつきのある手触りのものである。
【００１１】
　実例的に本発明のこの態様によると、塗料分配装置は手動スプレイガンである。
【００１２】
　実例的に本発明のこの態様によると、握りカバーは握りの上に二重成形されている。
【００１３】
　本発明の別の態様によると、握りカバーが、握りを含む塗料分配装置と共に使用されるために提供されている。握りカバーは少なくとも部分的に握りを覆う。握りカバーは、装置を握る使用者の手をクッションで和らげるために握りよりも軟らかい材料を含んでいる。
【００１４】
　実例的に本発明のこれらの態様によると、前記材料はエラストマー材料を含んでなるものである。
【００１５】
　実例的に本発明のこれらの態様によると、握りカバーは非導電性である。
【００１６】
　代替的且つ実例的に本発明のこれらの態様によると、握りカバーは電気的に非絶縁性である。
【００１７】
　本発明の別の態様によると、握りカバーが、握りを含む塗料分配装置と共に使用されるために提供される。握りカバーは、握りの上に嵌り込むシェルと、シェルに結合されたパッドとを含んでいる。パッドは、装置を握る使用者の手をクッションで和らげるために、握りより軟らかい材料を含んでいる。
【００１８】
　実例的に本発明のこの態様によると、クッション材料が、エチレンプロピレンジエンターポリマー（ＥＰＤＭ）である。
【００１９】
　実例的に本発明のこの態様によると、パッドがシェルの上に二重成形される。
【００２０】
　実例的に本発明のこの態様によると、シェルとパッドのそれぞれが、握りの少なくとも一部をＵ字型断面の中に収容するために、Ｕ字型断面を有している。
【００２１】
　本発明は、以下の説明と本発明を図解する添付図とを参照することにより最もよく理解されるはずである。
【発明を実施するための最良の形態】
【００２２】
　本発明の発明品は、例えば塗料を分配するための分配装置（以後時々“ガン”と呼ぶ）２２のピストル型握りの上に嵌ることが意図されている。ガン２２は実例的には、ランズバーグモデルＲＥＡ３、ＲＥＡ４、ＲＥＡ７０、ＲＥＡ９０、ＲＥＭ及びＭ−９０ガンであり、それらはオハイオ４３６１２−１４９３、トレド、３２０フィリップスアベニューのＩＴＷランズバーグから市販されている。ガン２２はややピストル形であり、また握り３２を含んでいる。そのようなガン２２の握り３２は、例えば、充填若しくは非充填の、耐磨耗性で分配材料に対する耐性のある樹脂、若しくはアルミニウムのような金属から、典型的に作られる。そのような握り３２を作る材料は一般的に比較的硬く、使用者がガン２２を長時間使用することがあるので、使用者の快適さはガン２２の構造において検討されるべきである。
【００２３】
　そのようなガン２２の使用者に対する追加の快適さを提供する試みにおいて、ガン２２は、握り３２よりも軟らかい（例えば、ショアＡかたさ４５の）材料で作られている握りカバー３６で（例えば、二重成形により）構成されるか、または握りカバー３６を後で取り付けられる。握りカバー３６は実例的には、約１．１ｍｍ（０．０４５ｉｎ）の一様な厚さをもっている。握りカバー３６は実例的には、ゴム、又はエチレンプロピレンジエンターポリマー（ＥＰＤＭ）等のゴム状物質、又は他のエラストマー材料のような材料から作られている。握りカバー３６は実例的には、握り３２を取り囲むスリーブとして構成されている。
【００２４】
　握りカバー３６は、参照符号３４で示されるように、刻み目を付けられるか、そうでなければざらつきを与えられることがある。握りカバー３６は、握り３２の色とは別の色を有する材料で作られることも可能である。握りカバー３６は、例えばロゴ、ガン２２の製造若しくはモデル番号又は名称、又は製造者若しくは所有者の印等のためのスペース３８のようなスペースを備えている。握りカバー３６が作られる材料は、非導電性若しくは電気的に非絶縁性でありうる。ガン２２の作動が電気的に補助される場合は、握り３２は典型的には接地されることが要求される。一つ以上のスロット若しくは一つ以上の開口４０であって、それらを通して使用者が握り３２との接触を維持する一つ以上のスロット若しくは一つ以上の開口４０のような機構をそのようなガン２２の握りカバー３６が備えることが必要である。この（これらの）一つ以上の開口４０は、握り３２の形体４２及び４４のような形体に適応させるように握り３２に対して配置されることも可能である。
【００２５】
　別の握りカバー１３６が図９から１５に示されている。握りカバー１３６は、塗料分配用ガン１２２のピストル型握り１３２を部分的に覆うために提供されている。この場合も、ガン１２２は実例的には、塗料分配用手動スプレイガンである。握りカバー１３６は、ガン１２２を使う使用者の手をクッションで和らげるために比較的硬い握り１３２よりも軟らかい（この場合も例えばショアＡかたさ４５の）材料を含んでいる。
【００２６】
　握りカバー１３６は実例的には、握り１３２の上にはめ込まれたシェル１５０と、シェル１５０に結合され且つクッション材料で作られたパッド１５２とを含んでいる。パッド１５２は実例的には、二重成形等によりシェル１５０の外面１５４に結合されている。シェル１５０は実例的には、炭素繊維を含んだナイロン１２で作られ、また射出成形される。パッドクッション材料は実例的には、ゴム、若しくはＥＰＤＭのようなゴム状材料、若しくは他のエラストマー材料である。シェル１５０とパッド１５２のそれぞれの厚さは実例的には、約１．１ｍｍ（０．０４５ｉｎ）である。
【００２７】
　握りカバー１３６は実例的には、握り１３２の上に滑り込みそして握り１３２から外れるように作られている。握りカバー１３６を握り１３２へ取り付ける際、又は握りカバー１３６を握り１３２から取り外す際に、握り１３２が開口１５６を通り抜けるために、シェル１５０は、シェル１５０の全長にわたって延びる開口１５６を有している。
【００２８】
　握りカバー１３６を握り１３２へ結合するための様々な方法がある。実例的には、シェル１５０は二つの細長いビード１５８を含んでおり、前記細長い二つのビード１５８はシェル１５０の内面１６２に備えられ、そして握り１３２の対向する握り側壁１６３に備えられた対応する細長い溝１６０に嵌り込む。各々のビード１５８は実例的には、概ねまっすぐな側壁１６４の外側エッジ１６６に沿って、側壁１６４の内面１６２に結合されている。接続ピン、若しくはねじファスナ等（非図示）が、外側のシェル１５０を握り１３２へ結合するために、ビード１５８の替わりに若しくはビード１５８に加えて採用されてもよい。
【００２９】
　握りカバー１３６は実例的には、握りカバーを握り１３２へ取り付けることと、握りカバー１３６を握り１３２から取り外すこととを進めるために、図１０で示されるＵ字形断面を有している。シェル側壁１６４と、シェル側壁１６４を相互接続しているシェル中間湾曲壁１６８とが、シェル１５０のＵ字形断面を提供する。シェル側壁１６４が握り側壁１６３を覆い、シェル中間湾曲壁１６８が握り後壁１６９を覆う。離間された一対の概ねまっすぐなパッド側壁１７０と、パッド側壁１７０を相互接続しているパッド中間湾曲壁１７２とが、パッド１５２のＵ字形断面を提供する。各々のパッド側壁１７０がシェル側壁１６４を覆い、パッド中間湾曲壁１７２がシェル中間湾曲壁１６８を覆う。二つのシェル側壁１６４がシェル中間湾曲壁１６８から、例えば１０度の内抱角で概ね互いの方に延びるように、シェル１５０は作られることができる。このような方法で、シェル１５０が一つ以上の弾性材料から作られるなら、シェル１５０は僅かに変形して握り１３２の上にスナップ嵌めされることが可能である。このことは、ガン１２２の使用の間に、握りカバー１３６を握り１３２の上に維持することに役立つことが可能である。
【００３０】
　シェル１５０及びパッド１５２は、それらを電気的に非絶縁性にして、ガン１２２使用者の、シェル１５０とパッド１５２とを介した接地を促進するために、例えばグラファイト若しくは他の導電物質が充填された樹脂から作られる。代わりに、シェル１５０及びパッド１５２が、非導電性材料から形作られることもある。そのような場合には、ガン使用者は、使用者の接地を促進するために開口１５６を通してガン１２２と接触することができる。
【００３１】
　本発明が、いくつかの実施例を参照して詳細に説明されてきたが、変形形態と変更形態とが、特許請求の範囲で記載されて規定されるような、本発明の範囲と精神との中に存在する。
【図面の簡単な説明】
【００３２】
【図１】図１は、本発明を組み入れることができるタイプの噴霧器の側面図であり、噴霧機を組み込むシステムの他の構成要素も略図で示される。
【図２】図２は、本発明により構成された握りを含む噴霧機の一部の、一方から且つやや後からの斜視図である。
【図３】図３ａ及びｂは、本発明による握りカバーの側面図である。
【図４】図４は、本発明による握りカバーの底面図である。
【図５】図５は、本発明による握りカバーの側面図であり、図３ａ及びｂで示された側とは反対側から描かれたものである。
【図６】図６は、本発明による握りカバーの正面図である。
【図７】図７は、本発明による握りカバーの平面図である。
【図８】図８は、本発明による握りカバーの背面図である。
【図９】図９は、本発明を組み入れることができるタイプの別の噴霧機の側面図である。
【図１０】図１０は、図９の切断線１０〜１０に沿って得られた断面図である。
【図１１】図１１は、本発明による握りカバーの平面図である。
【図１２】図１２は、図９に示された側とは反対側から見た握りカバーの側面図である。
【図１３】本発明による握りカバーの底面図である。
【図１４】図１４は、本発明による握りカバーの正面図である。
【図１５】図１５は、本発明による握りカバーの背面図である。
【符号の説明】
【００３３】
２２…ガン
３２…握り
３６…握りカバー
３８…スペース
４０…開口
【図１】
2004090001.tif 000003
【図２】
2004090001.tif 000004
【図３】
2004090001.tif 000005
【図４】
2004090001.tif 000006
【図５】
2004090001.tif 000007
【図６】
2004090001.tif 000008
【図７】
2004090001.tif 000009
【図８】
2004090001.tif 000010
【図９】
2004090001.tif 000011
【図１０】
2004090001.tif 000012
【図１１】
2004090001.tif 000013
【図１２】
2004090001.tif 000014
【図１３】
2004090001.tif 000015
【図１４】
2004090001.tif 000016
【図１５】
2004090001.tif 000017